(57)【要約】【課題】更なるドライバを設けることなく電力消費を削減可能なアクティブマトリクス型ディスプレイ装置等を提供する。【解決手段】本発明のディスプレイ装置２は、行及び列で配置された複数の画素を有するディスプレイ部２０を備え、更に、ソースラインを介して複数の画素へ電力又は電荷を供給する少なくとも１つのソースドライバ２２と、ゲートラインを介して複数の画素のオン／オフを制御する少なくとも１つのゲートドライバ２４と、ディスプレイ部２０を複数のサブディスプレイ部２１０、２２０に分けるようサブディスプレイ部２１０、２２０の間に設けられ、その間でソースライン及び／又はゲートラインを接続又は切断する境界スイッチ２６とを有する。境界スイッチ２６がソースライン及び／又はゲートラインを切断する場合は、ソースドライバ及びゲートドライバに直接に接続されたサブディスプレイ部２１０が駆動される。【選択図】図２
2009276547.tif 000002
【特許請求の範囲】
【請求項１】
行及び列で配置された複数の画素を有するディスプレイ部を備えたアクティブマトリクス型ディスプレイ装置であって、
前記列の数と同数のソースラインを介して前記複数の画素へ電力又は電荷を供給する少なくとも１つのソースドライバと、
前記行の数と同数のゲートラインを介して前記複数の画素のオン／オフを制御する少なくとも１つのゲートドライバと、
前記ディスプレイ部を複数のサブディスプレイ部に分けるよう該複数のサブディスプレイ部の間に設けられ、該複数のサブディスプレイ部の間で前記ソースライン及び／又は前記ゲートラインを接続又は切断する境界スイッチとを有し、
前記境界スイッチが前記ソースライン及び／又は前記ゲートラインを切断する場合は、前記ソースドライバ及び前記ゲートドライバに直接に接続されたサブディスプレイ部が駆動される、アクティブマトリクス型ディスプレイ装置。
【請求項２】
前記ソースドライバ及び前記ゲートドライバは各１つずつ設けられ、
前記境界スイッチは、前記ディスプレイ部を上下に２つのサブディスプレイ部に分けるよう該サブディスプレイ部の間に設けられ、該サブディスプレイ部の間で前記ソースラインを接続又は切断し、
前記境界スイッチが前記ソースラインを切断した場合は、前記ソースドライバから遠い方のサブディスプレイ部は駆動されない、請求項１記載のアクティブマトリクス型ディスプレイ装置。
【請求項３】
前記ディスプレイ部を挟んで、前記ソースドライバに対向して配置される第２のソースドライバを更に有し、
前記ゲートドライバは、前記境界スイッチにより接続又は切断される２つのサブドライバ部を有し、
前記境界スイッチが前記ソースラインを切断した場合は、前記ソースドライバから遠い方のサブディスプレイ部は、前記第２のソースドライバと、前記２つのサブドライバ部のうち当該サブディスプレイ部に直接に接続されたサブドライバ部とによって駆動される、請求項２記載のアクティブマトリクス型ディスプレイ装置。
【請求項４】
前記ソースドライバ及び前記ゲートドライバは各１つずつ設けられ、
前記境界スイッチは、前記ディスプレイ部を左右に２つのサブディスプレイ部に分けるよう該サブディスプレイ部の間に設けられ、該サブディスプレイ部の間で前記ゲートラインを接続又は切断し、
前記境界スイッチが前記ゲートラインを切断した場合は、前記ゲートドライバから遠い方のサブディスプレイ部は駆動されない、請求項１記載のアクティブマトリクス型ディスプレイ装置。
【請求項５】
前記ディスプレイ部を挟んで、前記ゲートドライバに対向して配置される第２のゲートドライバを更に有し、
前記境界スイッチが前記ゲートラインを切断した場合は、前記ゲートドライバから遠い方のサブディスプレイ部は前記第２のゲートドライバによって駆動される、請求項４記載のアクティブマトリクス型ディスプレイ装置。
【請求項６】
前記境界スイッチは複数のスイッチ素子を有し、
前記複数のスイッチ素子の夫々は、前記複数のサブディスプレイ部の間で前記ソースライン又は前記ゲートラインに直列に挿入され、その制御端子をスイッチドライバに共通接続され、該スイッチドライバから供給される制御信号によって同時にオン／オフを切り替えられる、請求項１乃至５のうちいずれか一項記載のアクティブマトリクス型ディスプレイ装置。
【請求項７】
前記複数のスイッチ素子は、ｎチャネルＴＦＴ、ｐチャネルＴＦＴ又はトランスミッションゲートのうちの少なくとも１つを有する、請求項６記載のアクティブマトリクス型ディスプレイ装置。
【請求項８】
前記複数のサブディスプレイ部の夫々に含まれる画素の数が異なる場合に、前記境界スイッチは複数のデマルチプレクサを有し、
前記複数のデマルチプレクサの夫々は、前記複数のサブディスプレイ部の間の画素数の比に応じた数のスイッチ素子を有して、前記複数のサブディスプレイ部の間で前記ソースライン又は前記ゲートラインに直列に挿入され、
前記スイッチ素子の夫々は、その制御端子をスイッチドライバに接続され、該スイッチドライバから供給される制御信号によって選択的にオン／オフを切り替えられる、請求項１乃至５のうちいずれか一項記載のアクティブマトリクス型ディスプレイ装置。
【請求項９】
前記境界スイッチが前記ソースライン及び／又は前記ゲートラインを切断した場合に前記ソースドライバ又は前記ゲートドライバから切り離されるサブディスプレイ部は、メモリを夫々備えた複数の画素を有し、
前記メモリは、前記境界スイッチが前記ソースライン及び／又は前記ゲートラインを切断する時点の当該画素の状態を記憶する、請求項１乃至８のうちいずれか一項記載のアクティブマトリクス型ディスプレイ装置。
【請求項１０】
液晶ディスプレイ装置である請求項１乃至９のうちいずれか一項記載のアクティブマトリクス型ディスプレイ装置。
【請求項１１】
ＯＬＥＤディスプレイ装置である請求項１乃至９のうちいずれか一項記載のアクティブマトリクス型ディスプレイ装置。
【請求項１２】
請求項１乃至１２のうちいずれか一項記載のアクティブマトリクス型ディスプレイ装置を備える携帯機器。
【発明の詳細な説明】
【技術分野】
【０００１】
本発明は、行及び列で配置された複数の画素を有するディスプレイ部を備えたアクティブマトリクス型ディスプレイ装置及びこれを備える携帯機器に関する。
【背景技術】
【０００２】
アクティブマトリクス型ディスプレイ装置は、行及び列で配置された複数の画素を有するディスプレイ部を備える。夫々の画素は、少なくとも１つの駆動トランジスタと、少なくとも１つの表示素子（例えば、液晶セル又は有機ＥＬ（Electro  Luminescence）等。）とを有する。画素の各行は、夫々の駆動トランジスタのゲートへ接続されたゲートラインを共有しており、夫々の画素は、ゲートドライバからゲートラインを介して供給される制御信号によってオン／オフを制御される。一方、画素の各列は、夫々の画素へ電力又は電荷を供給するソースラインを共有しており、夫々の画素は、ソースドライバからソースラインを介して駆動電力又は電荷が供給される。
【０００３】
ソースライン及びゲートラインには寄生静電容量が存在し、特に携帯電話等のバッテリー駆動の携帯機器では、この容量負荷による電力消費が問題となる。
【０００４】
電力消費の問題を解消するために、例えば国際出願ＷＯ２００７／０３４３６４Ａ１（特許文献１）には、待機モードでディスプレイ部の一部のみを用いて、機器のステータス情報、時刻及びバッテリー残量等の最低限必要な情報を表示させることが記載されている。
【特許文献１】国際出願ＷＯ２００７／０３４３６４Ａ１
【発明の開示】
【発明が解決しようとする課題】
【０００５】
しかし、上記特許文献１に記載される発明では、待機モードで使用されるディスプレイの一部を駆動するための専用のドライバを別基板で設ける必要がある。これは、装置の小型化を制限し、且つ、製造コストが高くなるという問題を引き起こすと考えられる。
【０００６】
本発明は、従来技術の問題を鑑み、更なるドライバを設けることなく電力消費を削減可能なアクティブマトリクス型ディスプレイ装置及びこれを備える携帯機器を提供することを目的とする。
【課題を解決するための手段】
【０００７】
上記目的を達成するために、本発明のアクティブマトリクス型ディスプレイ装置は、行及び列で配置された複数の画素を有するディスプレイ部を備えたアクティブマトリクス型ディスプレイ装置であって、
前記列の数と同数のソースラインを介して前記複数の画素へ電力又は電荷を供給する少なくとも１つのソースドライバと、
前記行の数と同数のゲートラインを介して前記複数の画素のオン／オフを制御する少なくとも１つのゲートドライバと、
前記ディスプレイ部を複数のサブディスプレイ部に分けるよう該複数のサブディスプレイ部の間に設けられ、該複数のサブディスプレイ部の間で前記ソースライン及び／又は前記ゲートラインを接続又は切断する境界スイッチとを有し、
前記境界スイッチが前記ソースライン及び／又は前記ゲートラインを切断する場合は、前記ソースドライバ及び前記ゲートドライバに直接に接続されたサブディスプレイ部が駆動される。
【０００８】
このように境界スイッチを設けることで、ソースライン及びゲートラインに存在する容量負荷は小さくなるので、サブディスプレイ部ごとに専用のソースドライバ及び／又はゲートドライバを設けることなく、電力消費を削減可能なアクティブマトリクス型ディスプレイ装置を提供することができる。
【０００９】
本発明のアクティブマトリクス型ディスプレイ装置の一実施例で、前記ソースドライバ及び前記ゲートドライバは各１つずつ設けられ、前記境界スイッチは、前記ディスプレイ部を上下に２つのサブディスプレイ部に分けるよう該サブディスプレイ部の間に設けられ、該サブディスプレイ部の間で前記ソースラインを接続又は切断し、前記境界スイッチが前記ソースラインを切断した場合は、前記ソースドライバから遠い方のサブディスプレイ部は駆動されない。また、本発明のアクティブマトリクス型ディスプレイ装置は、前記ディスプレイ部を挟んで、前記ソースドライバに対向して配置される第２のソースドライバを更に有することができる。このとき、前記ゲートドライバが、前記境界スイッチにより接続又は切断される２つのサブドライバ部を有するならば、前記境界スイッチが前記ソースラインを切断した場合に、前記ソースドライバから遠い方のサブディスプレイ部は、前記第２のソースドライバと、前記２つのサブドライバ部のうち当該サブディスプレイ部に直接に接続されたサブドライバ部とによって駆動される。
【００１０】
本発明のアクティブマトリクス型ディスプレイ装置の他の実施例で、前記ソースドライバ及び前記ゲートドライバは各１つずつ設けられ、前記境界スイッチは、前記ディスプレイ部を左右に２つのサブディスプレイ部に分けるよう該サブディスプレイ部の間に設けられ、該サブディスプレイ部の間で前記ゲートラインを接続又は切断し、前記境界スイッチが前記ゲートラインを切断した場合は、前記ゲートドライバから遠い方のサブディスプレイ部は駆動されない。また、本発明のアクティブマトリクス型ディスプレイ装置は、前記ディスプレイ部を挟んで、前記ゲートドライバに対向して配置される第２のゲートドライバを更に有することができる。このとき、前記境界スイッチが前記ゲートラインを切断した場合に、前記ゲートドライバから遠い方のサブディスプレイ部は前記第２のゲートドライバによって駆動される。
【００１１】
また、本発明のアクティブマトリクス型ディスプレイ装置で、前記境界スイッチは複数のスイッチ素子を有し、前記複数のスイッチ素子の夫々は、前記複数のサブディスプレイ部の間で前記ソースライン又は前記ゲートラインに直列に挿入され、その制御端子をスイッチドライバに共通接続され、該スイッチドライバから供給される制御信号によって同時にオン／オフを切り替えられる。前記複数のスイッチ素子は、ｎチャネルＴＦＴ、ｐチャネルＴＦＴ又はトランスミッションゲートのうちの少なくとも１つを有することができる。
【００１２】
また、本発明のアクティブマトリクス型ディスプレイ装置で、前記複数のサブディスプレイ部の夫々に含まれる画素の数が異なる場合は、前記境界スイッチは複数のデマルチプレクサを有し、前記複数のデマルチプレクサの夫々は、前記複数のサブディスプレイ部の間の画素数の比に応じた数のスイッチ素子を有して、前記複数のサブディスプレイ部の間で前記ソースライン又は前記ゲートラインに直列に挿入され、前記スイッチ素子の夫々は、その制御端子をスイッチドライバに接続され、該スイッチドライバから供給される制御信号によって選択的にオン／オフを切り替えられる。
【００１３】
また、本発明のアクティブマトリクス型ディスプレイ装置で、前記境界スイッチが前記ソースライン及び／又は前記ゲートラインを切断した場合に前記ソースドライバ又は前記ゲートドライバから切り離されるサブディスプレイ部は、メモリを夫々備えた複数の画素を有し、前記メモリは、前記境界スイッチが前記ソースライン及び／又は前記ゲートラインを切断する時点の当該画素の状態を記憶する。
【００１４】
なお、本発明のアクティブマトリクス型ディスプレイ装置は、画素に含まれる発光表示素子として液晶セル又は有機ＥＬを用いた液晶ディスプレイ装置又はＯＬＥＤディスプレイ装置であっても良い。
【００１５】
本発明のアクティブマトリクス型ディスプレイ装置は、特に、携帯電話、パーソナルデジタルアシスタント（ＰＤＡ）、携帯オーディオプレーヤ及び携帯ゲーム機のような携帯機器で組み込まれて使用される。携帯機器は、一般にバッテリーによって駆動される。従って、本発明のアクティブマトリクス型ディスプレイ装置を用いることで電力消費が抑制される結果、従来に比べてバッテリー容量の減少は遅くなる。
【発明の効果】
【００１６】
本発明により、更なるドライバを設けることなく電力消費を削減可能なアクティブマトリクス型ディスプレイ装置及びこれを備える携帯機器を提供することが可能となる。
【発明を実施するための最良の形態】
【００１７】
以下、添付の図面を参照して、本発明の好ましい実施形態を説明する。
【００１８】
図１は、本発明を携帯電話のディスプレイに用いた場合の概要図である。表される図は一例であって、本発明は、携帯電話に限らず、パーソナルデジタルアシスタント（ＰＤＡ）、携帯オーディオプレーヤ及び携帯ゲーム機のような携帯機器はもちろん、テレビ受像機及びパーソナルコンピュータ（ＰＣ）のような家電機器にも適用され得る。
【００１９】
図１（ａ）は通常モードにおけるディスプレイ部１０の表示状態を表し、一方、図１（ｂ）は待機モードにおけるディスプレイ部１０の表示状態を表す。ここで、「通常モード」とは、携帯電話がユーザによって操作され、使用されている状態をいい、「待機モード」とは、携帯電話が使用されておらず、ユーザによる操作を待っている状態をいう。図１（ａ）に表される表示状態では、画像及び情報を表示するために、ディスプレイ部１０の全体が使用される。しかし、図１（ｂ）に表される表示状態では、ディスプレイ部１０の一部の領域１２しか使用されない。領域１２には、電波状態、メール着信の有無、バッテリー残量及び時刻等の最低限必要な情報が表示される。ディスプレイ部１０の残りの領域は、例えばノーマリブラック方式の液晶ディスプレイの場合では、通常は黒色のままであり、何も表示されない。
【００２０】
以下、図１に表されるような表示状態を実現する本発明のアクティブマトリクス型ディスプレイ装置の具体的な実施例について説明する。
【実施例１】
【００２１】
図２は、本発明によるアクティブマトリクス型ディスプレイ装置の第１の実施例を表す。
【００２２】
図２のディスプレイ装置２は、行及び列で配置された複数の画素を有するディスプレイ部２０と、ソースラインを介して各画素へ電力又は電荷を供給する１つのソースドライバ２２と、ゲートラインを介して各画素のオン／オフを制御する１つのゲートドライバ２４と、ディスプレイ部２０を上下２つのサブディスプレイ部２１０、２２０に分けるようサブディスプレイ部２１０、２２０の間に設けられ、サブディスプレイ部２１０、２２０の間でソースラインを接続又は切断する境界スイッチ２６と、境界スイッチ２６のオン／オフを制御するスイッチドライバ２８とを有する。従来技術と同様に、夫々の画素は、少なくとも１つの駆動トランジスタと、少なくとも１つの表示素子（例えば、液晶セル又は有機ＥＬ等。）とを有する。画素の各行は、夫々の駆動トランジスタのゲートへ接続されたゲートラインを共有し、一方、画素の各列は、夫々の画素へ電力又は電荷を供給するソースラインを共有する。
【００２３】
図３は、図２に表されるディスプレイ装置２の一部を詳細に表す。境界スイッチ２６は、複数のｎチャネル薄膜トランジスタ（ＴＦＴ）を有する。このＴＦＴの夫々は、２つのサブディスプレイ部２１０、２２０の間で各ソースラインに直列に挿入され、そのゲートをスイッチドライバ２８に共通接続されており、スイッチドライバ２８から供給される制御信号によって同時にオン／オフを切り替えられる。なお、境界スイッチ２６は、ｎチャネルＴＦＴに限らず、ｐチャネルＴＦＴ又はトランスミッションゲートのような他の種類のスイッチ素子を有しても良い。
【００２４】
図２に表されるように、本実施例では、ソースドライバ２２はディスプレイ部２０の下側に配置されている。このとき、境界スイッチ２６がオフである場合に、ソースドライバ２２からの電力又は電荷は、境界スイッチ２６よりも下にあって、ソースドライバ２２へ直接に接続された第１のサブディスプレイ２１０にのみ供給され、境界スイッチ２６よりも上にある第２のサブディスプレイ部２２０には供給されない。一方、境界スイッチ２６がオンである場合には、境界スイッチ２６よりも上にある第２のサブディスプレイ部２２０にもソースドライバ２２からの電力又は電荷が供給される。このように、境界スイッチ２６を設けることで、図１を参照して説明したようなディスプレイの表示状態が実現され得る。具体的に、図１（ａ）に表される通常モードの表示状態を実現するためには、境界スイッチ２６はオンにされ、境界スイッチ２６の上下に位置する第１及び第２のサブディスプレイ部２１０、２２０の両方に駆動電力又は電荷が供給される。一方、図１（ｂ）に表される待機モードの表示状態を実現するためには、境界スイッチ２６はオフにされ、境界スイッチ２６よりも下にある第１のサブディスプレイ部２１０にのみ駆動電力又は電荷が供給される。
【００２５】
従って、待機モードでは、第２のサブディスプレイ部２２０が境界スイッチ２６によってソースドライバ２２から切り離されることで、ディスプレイ部における容量負荷は相対的に小さくなり、その結果、消費電力が削減され得る。
【実施例２】
【００２６】
図４は、本発明によるアクティブマトリクス型ディスプレイ装置の第２の実施例を表す。
【００２７】
図４のディスプレイ装置４は、行及び列で配置された複数の画素を有するディスプレイ部４０と、ソースラインを介して各画素へ電力又は電荷を供給する１つのソースドライバ４２と、ゲートラインを介して各画素のオン／オフを制御する１つのゲートドライバ４４と、ディスプレイ部４０を左右２つのサブディスプレイ部４１０、４２０に分けるようサブディスプレイ部４１０、４２０の間に設けられ、サブディスプレイ部４１０、４２０の間でゲートラインを接続又は切断する境界スイッチ４６と、境界スイッチ４６のオン／オフを制御するスイッチドライバ４８とを有する。従来技術と同様に、夫々の画素は、少なくとも１つの駆動トランジスタと、少なくとも１つの表示素子（例えば、液晶セル又は有機ＥＬ等。）とを有する。画素の各行は、夫々の駆動トランジスタのゲートへ接続されたゲートラインを共有し、一方、画素の各列は、夫々の画素へ電力又は電荷を供給するソースラインを共有する。
【００２８】
本実施例のディスプレイ装置４は、ディスプレイ部４０を左右２つのサブディスプレイ部４１０、４２０に分けるようサブディスプレイ部４１０、４２０の間に設けられ、サブディスプレイ部４１０、４２０の間でゲートラインを接続又は切断する点で、実施例１のディスプレイ装置（図２参照。）とは異なる。
【００２９】
図４に表されるように、本実施例では、ゲートドライバ４４はディスプレイ部４０の正面右側に配置されている。このとき、境界スイッチ４６がオフである場合に、ゲートドライバ４４からの制御信号は、境界スイッチ４６よりも右にあって、ゲートドライバ４４へ直接に接続された第１のサブディスプレイ部４１０にのみ供給され、境界スイッチ４６よりも左にある第２のサブディスプレイ部４２０には供給されない。一方、境界スイッチ４６がオンである場合には、境界スイッチ４６よりも左にある第２のサブディスプレイ部４２０にもゲートドライバ４４からの制御信号が供給される。具体的に、図１（ａ）に表されるようにディスプレイ部４０の全体を使用する通常モードでは、境界スイッチ４６はオンにされ、境界スイッチ４６の左右に位置する第１及び第２のサブディスプレイ部４１０、４２０の両方に駆動制御信号が供給される。一方、図１（ｂ）に表されるようにディスプレイ部４０の一部の領域のみを使用する待機モードでは、境界スイッチ４６はオフにされ、境界スイッチ４６よりも右にある第１のサブディスプレイ部４１０にのみ駆動制御信号が供給される。
【００３０】
このように、本実施例のディスプレイ装置４では、待機モードで使用されないディスプレイ部の領域（即ち、第２のサブディスプレイ部４２０）が境界スイッチ４６によって、実施例１のディスプレイ装置２とは異なり、ソースドライバ４２ではなくゲートドライバ４４から切り離される。しかし、このような構成においても、実施例１と同様に、待機モードで、ディスプレイ部における容量負荷を小さくすることが可能であり、その結果、消費電力を削減することができる。
【００３１】
また、本実施例のディスプレイ装置４では、別のゲートドライバ（図示せず。）が、更に、ディスプレイ部４０を挟んで、ゲートドライバ４４に対向するよう設けられる場合に、境界スイッチ４６によって分けられた第１及び第２のサブディスプレイ部４１０、４２０の夫々を別々のゲートドライバで駆動することで、夫々のサブディスプレイ部に異なる画像を表示させることが可能となる。
【実施例３】
【００３２】
図５は、本発明によるアクティブマトリクス型ディスプレイ装置の第３の実施例を表す。
【００３３】
図５のディスプレイ装置５は、行及び列で配置された複数の画素を有するディスプレイ部５０と、ソースラインを介して各画素へ電力又は電荷を供給する２つのソースドライバ５２、５３と、ゲートラインを介して各画素のオン／オフを制御する２つのゲートドライバ５４、５５と、ディスプレイ部５０を上下２つのサブディスプレイ部５１０、５２０に分けるようサブディスプレイ部５１０、５２０の間に設けられ、サブディスプレイ部５１０、５２０の間でソースラインを接続又は切断する境界スイッチ５６と、境界スイッチ５６のオン／オフを制御するスイッチドライバ５８とを有する。従来技術と同様に、夫々の画素は、少なくとも１つの駆動トランジスタと、少なくとも１つの表示素子（例えば、液晶セル。）とを有する。画素の各行は、夫々の駆動トランジスタのゲートへ接続されたゲートラインを共有し、一方、画素の各列は、夫々の画素へ電力又は電荷を供給するソースラインを共有する。
【００３４】
本実施例のディスプレイ装置５は、ソースドライバ及びゲートドライバが各２つずつ設けられている点で、実施例１のディスプレイ装置（図２参照。）とは異なる。本実施例では、ソースドライバ５２、５３は、ディスプレイ部５０の上下に、互いに対向するよう配置されている。一方、ゲートドライバ５４、５５は、ディスプレイ部５０の側部に、上下に配置されている。また、ゲートドライバ５４、５５は、その間に境界スイッチ５６のスイッチ素子の１つが挿入されており、このスイッチ素子がオンである場合に、相互に接続される。従って、実際上、ゲートドライバ５４、５５は単一のゲートドライバに含まれても良く、外部にスイッチ素子を設けることで２つに分けられる。
【００３５】
このとき、境界スイッチ５６がオフである場合に、境界スイッチ５６よりも下にある第１のサブディスプレイ部５１０は、ディスプレイ部５０の下側にある第１のソースドライバ５２と、境界スイッチ５６よりも下にある第１のゲートドライバ５４とによって駆動される。一方、境界スイッチ５６よりも上にある第２のサブディスプレイ部５２０は、ディスプレイ部５０の上側にある第２のソースドライバ５３と、境界スイッチ５６よりも上にある第２のゲートドライバ５５とによって駆動される。また、境界スイッチ５６がオンである場合には、ディスプレイ部５０の全体が、第１又は第２のソースドライバ５２、５３のいずれか一方と、協働する第１及び第２のゲートドライバ５４、５５とによって駆動される。
【００３６】
このように、境界スイッチをオフして、ディスプレイ部を複数のサブディスプレイ部に分け、更にサブディスプレイ部ごとに専用のソースドライバ及びゲートドライバを設けることで、夫々のサブディスプレイ部を独立に駆動することができる。具体的には、サブディスプレイ部のいずれかを選択的に駆動させないことで、ディスプレイ部における容量負荷を相対的に小さくすることが可能であり、それにより、消費電力を削減することができる。また、サブディスプレイ部ごとに異なる画像を表示させることができる。
【実施例４】
【００３７】
図６は、本発明によるアクティブマトリクス型ディスプレイ装置の第４の実施例を表す。
【００３８】
本実施例は、ディスプレイ部が、例えば、モノクロ表示部及びカラー表示部を有する場合又は解像度の異なるサブディスプレイ部を組み合わせて構成される場合のように、画素構造が異なる複数のサブディスプレイ部を有するディスプレイ部を備えたアクティブマトリクス型ディスプレイ装置における本発明の実施例を表す。
【００３９】
図６のディスプレイ装置６は、行及び列で配置された複数の画素を有するディスプレイ部６０と、ソースラインを介して各画素へ電力又は電荷を供給する１つのソースドライバ６２と、ゲートラインを介して各画素のオン／オフを制御する１つのゲートドライバ６４とを有する。ディスプレイ部６０は、白色発光画素の配列を有する第１のサブディスプレイ部６１０と、赤色、緑色及び青色の発光画素の配列を有する第２のサブディスプレイ部６２０とを有する。従って、第２のサブディスプレイ部６２０の画素ピッチは、第１のサブディスプレイ部６１０の３倍である。
【００４０】
ディスプレイ装置６は、第１及び第２のサブディスプレイ部６１０、６２０の間に設けられた境界スイッチ６６と、境界スイッチ６６のオン／オフを制御するスイッチドライバ６８とを更に有する。本実施例で、境界スイッチ６６は、複数の１：３デマルチプレクサを有し、第１のサブディスプレイ部６１０の画素の各列によって共有されるソースラインの夫々を３系統に分けて、第２のサブディスプレイ部６２０の対応する３本の画素の列に接続する。
【００４１】
図７は、図６に表されるディスプレイ装置６の一部を詳細に表す。境界スイッチ６６は、複数の１：３デマルチプレクサｄｅＭＵＸを有する。本実施例では、デマルチプレクサｄｅＭＵＸは、３つのｎチャネル薄膜トランジスタ（ＴＦＴ）を有する。これらのＴＦＴの夫々は、スイッチドライバ６８から供給されるセレクタ信号によって選択的にオン／オフを切り替えられる。デマルチプレクサｄｅＭＵＸは、第１のサブディスプレイ部６１０の画素の各列によって共有されるソースラインの夫々を３系統に分けて、第２のサブディスプレイ部６２０の対応する３本の画素の列に接続するよう、２つのサブディスプレイ部６１０、６２０の間に挿入されている。なお、デマルチプレクサｄｅＭＵＸは、ｎチャネルＴＦＴに限らず、ｐチャネルＴＦＴ又はトランスミッションゲートのような他の種類のスイッチ素子を有しても良い。
【００４２】
図６に表されるように、本実施例では、ソースドライバ６２はディスプレイ部６０の下側に配置されている。このとき、図１（ｂ）に表される待機モードでは、境界スイッチ６６に含まれるデマルチプレクサｄｅＭＵＸのスイッチ素子は全てオフであり、ソースドライバ６２からの電力又は電荷は、境界スイッチ６６よりも下にあって、ソースドライバ６２へ直接に接続された第１のサブディスプレイ６１０にのみ供給され、境界スイッチ６６よりも上にある第２のサブディスプレイ部６２０には供給されない。
【００４３】
一方、図１（ａ）に表される通常モードでは、境界スイッチ６６に含まれるデマルチプレクサｄｅＭＵＸのスイッチ素子は順次に、第２のサブディスプレイ部６２０の各ソースラインが所定電圧に達するのに十分な時間だけオンされ、その後、第２のサブディスプレイ部６２０の各画素はゲートラインを介して供給される制御信号に従って駆動される。この第２のサブディスプレイ部６２０の動作は、従来のカラーディスプレイ装置と同様であり、ここでは詳細に説明しない。
【００４４】
このように、境界スイッチ６６を設けることで、実施例１と同様に、図１を参照して説明したようなディスプレイの表示状態が実現され得る。従って、待機モードでは、第２のサブディスプレイ部６２０が境界スイッチ６６によってソースドライバ６２から切り離されることで、ディスプレイ部６０における容量負荷は相対的に小さくなり、その結果、消費電力がされ得る。
【００４５】
しかし、実施例１とは異なり、境界スイッチにデマルチプレクサを用いることで、画素構造が異なる複数のサブディスプレイ部を有するディスプレイ部を備えたアクティブマトリクス型ディスプレイ装置にも本発明を適用することができる。具体的に、本実施例では、白色発光画素の配列を有する第１のサブディスプレイ部６１０は情報をモノクロで表示し、赤色、緑色及び青色の発光画素の配列を有する第２のサブディスプレイ部６２０は画像及び情報をフルカラーで表示する。
【実施例５】
【００４６】
図８は、本発明によるアクティブマトリクス型ディスプレイ装置の画素構造の例を表す。
【００４７】
図８に表される画素８０は、駆動トランジスタ８２及び表示素子８４（例えば、液晶セル又は有機ＥＬ等。）に加えて、画素８０、即ち、表示素子８４の状態を記憶する１ビットのメモリ８６を更に有する。表示素子８４の一方の端子はコモン電極９０に接続され、他方の端子は駆動トランジスタ８２を介してソースライン９２に接続されるとともに、メモリ８６にも接続されている。駆動トランジスタ８２は、そのゲートをゲートライン９４に接続されており、ゲートドライバからゲートライン９４を介して供給される制御信号によってオン／オフを制御される。
【００４８】
画素８０は、メモリ８６を設けることで、ソースライン９２からの駆動電力若しくは電荷又はゲートライン９４からの駆動制御信号の供給を受けることができない期間に、その期間の直前の状態を記憶しておくことができる。
【００４９】
特に、この画素構造は、境界スイッチによってドライバから切り離される場合があるサブディスプレイ部で用いられることが好ましい。その利点を、具体的に、図２に表される実施例１のアクティブマトリクス型ディスプレイ装置を例として説明する。第２のサブディスプレイ部２２０は、待機モードでは、境界スイッチ２６がオフされることで、ソースドライバ２２から駆動電力又は電荷供給を受けることができない。このとき、第２のサブディスプレイ部２２０に含まれる画素の夫々では、メモリ８６がセルフリフレッシュを行って、境界スイッチ２６がオフされた時点の画素の状態を記憶する。これにより、待機モードから通常モードに移行する場合に、複雑な機構を設けることなく、待機モードに入る前に第２のサブディスプレイ部２２０に表示されていた画像又は情報を再表示させることができる。
【００５０】
以上、発明を実施するための最良の形態について説明を行ったが、本発明は、この最良の形態で述べた実施の形態に限定されるものではない。本発明の主旨を損なわない範囲で変更することが可能である。
【００５１】
例えば、上記の実施例では、ディスプレイ部は１つの境界スイッチによって２つのサブディスプレイ部に分けられたが、複数の境界スイッチを設けることによって、２よりも多くのサブディスプレイ部に分けられ得る。一例として、ソースラインを接続又は切断する第１の境界スイッチと、ゲートラインを接続又は切断する第２の境界スイッチとを設けた場合には、ディスプレイ部は４つのサブディスプレイ部に分割され得る。
【００５２】
また、上記の実施例は組み合わされることも可能である。
【図面の簡単な説明】
【００５３】
【図１】本発明を携帯電話のディスプレイに用いた場合の概要図である。
【図２】本発明によるアクティブマトリクス型ディスプレイ装置の第１の実施例を表す。
【図３】図２に表されるアクティブマトリクス型ディスプレイ装置の一部を詳細に表す。
【図４】本発明によるアクティブマトリクス型ディスプレイ装置の第２の実施例を表す。
【図５】本発明によるアクティブマトリクス型ディスプレイ装置の第３の実施例を表す。
【図６】本発明によるアクティブマトリクス型ディスプレイ装置の第４の実施例を表す。
【図７】図６に表されるアクティブマトリクス型ディスプレイ装置の一部を詳細に表す。
【図８】本発明によるアクティブマトリクス型ディスプレイ装置の画素構造の例を表す。
【符号の説明】
【００５４】
２，４，５，６  アクティブマトリクス型ディスプレイ装置
１０，２０，４０，５０，６０  ディスプレイ部
２２，４２，５２，５３，６２  ソースドライバ
２４，４４，５４，５５，６４  ゲートドライバ
２６，４６，５６，６６  境界スイッチ
２８，４８，５８，６８  スイッチドライバ
２１０，２２０，４１０，４２０，５１０，５２０，６１０，６２０  サブディスプレイ部
８０  画素
８２  駆動トランジスタ
８４  表示素子
８６  メモリ
９０  共通電極
９２  ソースライン
９４  ゲートライン
ｄｅＭＵＸ  デマルチプレクサ
【図１】
2009276547.tif 000003
【図２】
2009276547.tif 000004
【図３】
2009276547.tif 000005
【図４】
2009276547.tif 000006
【図５】
2009276547.tif 000007
【図６】
2009276547.tif 000008
【図７】
2009276547.tif 000009
【図８】
2009276547.tif 000010